(57)【要約】  室内機（２）は、部屋に存在する人の数を検出する検出部（２１）によって第１のタイミングに検出された数である第１数と第１のタイミングより後の第２のタイミングに検出部（２１）によって検出された数である第２数とを比較して第２数が第１数より大きいか否かを判定する数判定部（２２）と、制御部（２５）とを有する。数判定部（２２）は、第１数が１以上であるか否かを更に判定する。第２数が第１数より大きくかつ第１数が１以上であると数判定部（２２）によって判定された場合、制御部（２５）は、第２のタイミング以後に、暖房運転時においては、設定温度の上げ幅を第１数が０であるときの上げ幅より小さくすると共に、ファン（２３）の回転数の上げ幅を第１数が０であるときの上げ幅より小さくする制御を行う。
2018025321.tif 000002
【特許請求の範囲】
【請求項１】
部屋に存在する人の数を検出する検出部によって第１のタイミングに検出された数である第１数と前記第１のタイミングより後の第２のタイミングに前記検出部によって検出された数である第２数とを比較して前記第２数が前記第１数より大きいか否かを判定する数判定部と、
前記第２数が前記第１数より大きいと前記数判定部によって判定された場合、前記第２のタイミング以後に、暖房運転時においては設定温度を上げると共にファンの回転数を上げる制御を行い、冷房運転時においては前記設定温度を下げると共に前記ファンの回転数を上げる制御を行う制御部とを備え、
前記数判定部は、前記第１数が１以上であるか否かを更に判定し、
前記第２数が前記第１数より大きくかつ前記第１数が１以上であると前記数判定部によって判定された場合、前記制御部は、前記第２のタイミング以後に、前記暖房運転時においては、前記設定温度の上げ幅を前記第１数が０であるときの上げ幅より小さくすると共に、前記ファンの回転数の上げ幅を前記第１数が０であるときの上げ幅より小さくする制御を行い、前記冷房運転時においては、前記設定温度の下げ幅を前記第１数が０であるときの下げ幅より小さくすると共に、前記ファンの回転数の上げ幅を前記第１数が０であるときの上げ幅より小さくする制御を行う
ことを特徴とする室内機。
【請求項２】
前記数判定部は、第２数から前記第１数を減じた数である第３数が前記第１数より大きいか否かを更に判定し、
前記第２数が前記第１数より大きくかつ前記第１数が１以上であって更に前記第３数が前記第１数より大きいと前記数判定部によって判定された場合、前記制御部は、前記第２のタイミング以後に、前記暖房運転時においては、前記設定温度の上げ幅を前記第３数が前記第１数以下であるときの上げ幅より大きくすると共に、前記ファンの回転数の上げ幅を前記第３数が前記第１数以下であるときの上げ幅より大きくする制御を行い、前記冷房運転時においては、前記設定温度の下げ幅を前記第３数が前記第１数以下であるときの下げ幅より大きくすると共に、前記ファンの回転数の上げ幅を前記第３数が前記第１数以下であるときの上げ幅より大きくする制御を行う
ことを特徴とする請求項１に記載の室内機。
【請求項３】
前記部屋に風を送るためのフラップを更に備え、
前記数判定部は、（１）前記第１のタイミングに前記検出部によって検出された数である第４数が０であると共に前記第２のタイミングに前記検出部によって検出された数である第５数が１以上であるか否かを判定し、（２）前記第５数が０であるか否かを判定し、（３）前記第４数が１以上であると共に前記第５数が１以上であるか否かを判定し、
前記制御部は、（Ａ）前記第４数が０であると共に前記第５数が１以上であると前記数判定部によって判定された場合、前記フラップをスイングさせる制御を行い、（Ｂ）前記第５数が０であると前記数判定部によって判定された場合、前記フラップを閉じる制御を行い、（Ｃ）前記第４数が１以上であると共に前記第５数が１以上であると前記数判定部によって判定された場合、前記フラップの動作を維持する制御を行う
ことを特徴とする請求項１又は２に記載の室内機。
【請求項４】
前記検出部によって検出された数が前記第２数以下である状態が前記第２のタイミングから継続する時間を計測する計測部と、
前記計測部によって計測された時間があらかじめ決められた時間を超えたか否かを判定する時間判定部とを更に備え、
前記計測部によって計測された時間が前記あらかじめ決められた時間を超えたと前記時間判定部によって判定された場合、前記制御部は、前記設定温度、前記ファンの回転数及び前記フラップの各々の動作を元に戻す制御を行う
ことを特徴とする請求項３に記載の室内機。
【請求項５】
請求項１から４のいずれか１項に記載の室内機と、
前記室内機を制御する制御装置とを備え、
前記制御装置は、前記室内機の前記制御部が行う制御を実行させる指示を受け付ける受付部を有し、
前記制御部は、前記受付部が前記指示を受け付けた場合、前記制御を行う
ことを特徴とする空調システム。
【請求項６】
複数の室内機と、
前記複数の室内機を制御する制御装置とを備え、
前記複数の室内機の各々は、
前記複数の室内機が配置される部屋の内部の複数の領域のうちの対応する領域に存在する人の数を検出する検出部によって第１のタイミングに検出された数である第１数と前記第１のタイミングより後の第２のタイミングに前記検出部によって検出された数である第２数とを比較して前記第２数が前記第１数より大きいか否かを判定する室内機側数判定部と、
制御部とを有し、
前記制御装置は、
前記第１のタイミングに前記複数の室内機のすべての前記検出部によって検出された数である第１合計と前記第２のタイミングに前記複数の室内機のすべての前記検出部によって検出された数である第２合計とを比較し、前記第２合計が前記第１合計より大きいか否かを判定する制御装置側数判定部を有し、
前記複数の室内機の各々において、
前記第２合計が前記第１合計より大きいと前記制御装置側数判定部によって判定された場合、前記制御部は、前記第２数が前記第１数より大きいと前記室内機側数判定部によって判定されたとき、前記第２のタイミング以後に、暖房運転時においては設定温度を上げると共にファンの回転数を上げる制御を行い、冷房運転時においては前記設定温度を下げると共に前記ファンの回転数を上げる制御を行う
ことを特徴とする空調システム。
【請求項７】
前記複数の室内機の各々において、
（１）前記第２数が前記第１数より大きいと前記室内機側数判定部によって判定された場合であって、前記制御装置側数判定部による前記第２合計が前記第１合計より大きいとの判定の直前の判定において前記第２合計が前記第１合計以下であると前記制御装置側数判定部によって判定された場合と、
（２）前記第２数が前記第１数より大きいと前記室内機側数判定部によって判定された場合であって、前記制御装置側数判定部による前記第２合計が前記第１合計より大きいとの判定の直前の判定において前記第２合計が前記第１合計より大きいと前記制御装置側数判定部によって判定されていて、かつ、前記第１数が０であると前記室内機側数判定部によって判定された場合、
前記制御部は、前記暖房運転時においては、前記設定温度の上げ幅を前記第１数が１以上であるときの上げ幅より大きくすると共に、前記ファンの回転数の上げ幅を前記第１数が１以上であるときの上げ幅より大きくする制御を行い、前記冷房運転時においては、前記設定温度の下げ幅を前記第１数が１以上であるときの下げ幅より大きくすると共に、前記ファンの回転数の上げ幅を前記第１数が１以上であるときの上げ幅より大きくする制御を行う
ことを特徴とする請求項６に記載の空調システム。
【請求項８】
前記複数の室内機の各々において、
前記第２数が前記第１数より大きいと前記室内機側数判定部によって判定された場合であって、前記制御装置側数判定部による前記第２合計が前記第１合計より大きいとの判定の直前の判定において前記第２合計が前記第１合計より大きいと前記制御装置側数判定部によって判定されていて、前記第１数が１以上であると前記室内機側数判定部によって判定され、かつ、前記第２数から前記第１数を減じた数である第３数が前記第１数より大きいと前記室内機側数判定部によって判定された場合、
前記制御部は、
前記暖房運転時においては、前記設定温度の上げ幅を前記第１数が０であるときの上げ幅より小さくかつ前記第３数が前記第１数以下であるときの上げ幅より大きくすると共に、前記ファンの回転数の上げ幅を前記第１数が０であるときの上げ幅より小さくかつ前記第３数が前記第１数以下であるときの上げ幅より大きくする制御を行い、
前記冷房運転時においては、前記設定温度の下げ幅を前記第１数が０であるときの下げ幅より小さくかつ前記第３数が前記第１数以下であるときの下げ幅より大きくすると共に、前記ファンの回転数の上げ幅を前記第１数が０であるときの上げ幅より小さくかつ前記第３数が前記第１数以下であるときの上げ幅より大きくする制御を行う
ことを特徴とする請求項６又は７に記載の空調システム。
【請求項９】
前記複数の室内機の各々は、フラップを更に有し、
前記複数の室内機の各々において、
前記室内機側数判定部は、（１）前記第１のタイミングに前記検出部によって検出された数である第４数が０であると共に前記第２のタイミングに前記検出部によって検出された数である第５数が１以上であるか否かを判定し、（２）前記第５数が０であるか否かを判定し、（３）前記第４数が１以上であると共に前記第５数が１以上であるか否かを判定し、
前記制御部は、（Ａ）前記第４数が０であると共に前記第５数が１以上であると前記室内機側数判定部によって判定された場合、前記フラップをスイングさせる制御を行い、（Ｂ）前記第５数が０であると前記室内機側数判定部によって判定された場合、前記フラップを閉じる制御を行い、（Ｃ）前記第４数が１以上であると共に前記第５数が１以上であると前記室内機側数判定部によって判定された場合、前記フラップの動作を維持する制御を行う
ことを特徴とする請求項６から８のいずれか１項に記載の空調システム。
【請求項１０】
前記複数の室内機の各々は、
前記検出部によって検出された数が前記第２数以下である状態が前記第２のタイミングから継続する時間を計測する計測部と、
前記計測部によって計測された時間があらかじめ決められた時間を超えたか否かを判定する時間判定部とを更に有し、
前記複数の室内機の各々において、
前記計測部によって計測された時間が前記あらかじめ決められた時間を超えたと前記時間判定部によって判定された場合、前記制御部は、前記設定温度、前記ファンの回転数及び前記複数のフラップの各々の動作を元に戻す制御を行う
ことを特徴とする請求項９に記載の空調システム。
【請求項１１】
前記制御装置は、前記複数の室内機の各々の前記制御部が行う制御を実行させる指示を受け付ける受付部を有し、
前記制御部は、前記受付部が前記指示を受け付けた場合、前記制御を行う
ことを特徴とする請求項６から１０のいずれか１項に記載の空調システム。
【発明の詳細な説明】
【技術分野】
【０００１】
本発明は、空調制御の対象の部屋における人が増加した場合に当該部屋に対して適切に空調制御を行う室内機及び空調システムに関する。
【背景技術】
【０００２】
従来、部屋に存在する人を検知する人検知センサを用いて当該部屋に存在する人の有無を判断し、判断結果をもとに空調制御を行う空調システムが提案されている（例えば、特許文献１参照）。複数の室内機が配置されている部屋において、人の移動方向を人検知センサによって検知し、人の移動先の室内機を制御する空調システムも提案されている（例えば、特許文献２参照）。
【先行技術文献】
【特許文献】
【０００３】
【特許文献１】特開平１−１４７２４４号公報
【特許文献２】特開２０１５−１１４０８５号公報
【発明の概要】
【発明が解決しようとする課題】
【０００４】
しかしながら、従来の技術では、空調制御の対象の部屋に既に人が存在していて当該部屋に新たな人が入った場合、当該部屋に対して適切な空調制御が行われない。当該場合において、当該部屋に対して適切な空調制御を行う室内機が求められている。【０００５】
本発明は、上記に鑑みてなされたものであって、空調制御の対象の部屋に既に人が存在していて当該部屋に新たな人が入った場合、当該部屋に対して適切な空調制御を行う室内機を得ることを目的とする。
【課題を解決するための手段】
【０００６】
上述した課題を解決し、目的を達成するために、本発明に係る室内機は、部屋に存在する人の数を検出する検出部によって第１のタイミングに検出された数である第１数と前記第１のタイミングより後の第２のタイミングに前記検出部によって検出された数である第２数とを比較して前記第２数が前記第１数より大きいか否かを判定する数判定部と、前記第２数が前記第１数より大きいと前記数判定部によって判定された場合、前記第２のタイミング以後に、暖房運転時においては設定温度を上げると共にファンの回転数を上げる制御を行い、冷房運転時においては前記設定温度を下げると共に前記ファンの回転数を上げる制御を行う制御部とを有する。前記数判定部は、前記第１数が１以上であるか否かを更に判定する。前記第２数が前記第１数より大きくかつ前記第１数が１以上であると前記数判定部によって判定された場合、前記制御部は、前記第２のタイミング以後に、前記暖房運転時においては、前記設定温度の上げ幅を前記第１数が０であるときの上げ幅より小さくすると共に、前記ファンの回転数の上げ幅を前記第１数が０であるときの上げ幅より小さくする制御を行い、前記冷房運転時においては、前記設定温度の下げ幅を前記第１数が０であるときの下げ幅より小さくすると共に、前記ファンの回転数の上げ幅を前記第１数が０であるときの上げ幅より小さくする制御を行う。
【発明の効果】
【０００７】
本発明に係る室内機は、空調制御の対象の部屋に既に人が存在していて当該部屋に新たな人が入った場合、当該部屋に対して適切な空調制御を行うことができるという効果を奏する。
【図面の簡単な説明】
【０００８】
【図１】実施の形態１に係る空調システムの構成を示す図
【図２】実施の形態１に係る空調システムが有する室内機の構成を示す図
【図３】実施の形態１に係る空調システムにおける室内機が有する室内機側通信部、検出部、数判定部、制御部、計測部及び時間判定部を構成する少なくとも一部の構成要素が処理回路によって実現される場合の処理回路を示す図
【図４】実施の形態１に係る空調システムにおける室内機が有する室内機側通信部、検出部、数判定部、制御部、計測部及び時間判定部を構成する少なくとも一部の構成要素がプロセッサによって実現される場合のプロセッサを示す図
【図５】実施の形態１に係る空調システムが有する室内機の動作の手順を示すフローチャート
【図６】実施の形態１に係る空調システムが有する室内機が配置されている部屋の天井の平面図
【図７】実施の形態１に係る空調システムが有する室内機を鉛直下方から鉛直上方の向きに見た場合の室内機の平面図
【図８】実施の形態１に係る空調システムが有する室内機の第１の側面図
【図９】実施の形態１に係る空調システムが有する室内機の第２の側面図
【図１０】実施の形態１に係る空調システムが有する室内機の動作のうちの図５のステップＳ１１において行われる動作の手順を示すフローチャート
【図１１】実施の形態２に係る空調システムの構成を示す図
【図１２】実施の形態２に係る空調システムが有する複数の室内機が配置されている大部屋を示す図
【図１３】実施の形態２に係る空調システムが有する室内機の構成を示す図
【図１４】実施の形態２に係る空調システムが有する制御装置の動作の手順を示すフローチャート
【図１５】実施の形態２に係る空調システムが有する室内機の動作の手順を示すフローチャート
【発明を実施するための形態】
【０００９】
以下に、本発明の実施の形態に係る室内機及び空調システムを図面に基づいて詳細に説明する。なお、この実施の形態によりこの発明が限定されるものではない。
【００１０】
実施の形態１．
まず、実施の形態１に係る空調システム１の構成を説明する。図１は、実施の形態１に係る空調システム１の構成を示す図である。空調システム１は、検出部２１を含む室内機２と、室外機３と、室内機２及び室外機３を制御する制御装置４とを有する。室内機２は室外機３と配管及び配線によって接続されており、室内機２及び室外機３は冷凍サイクルを構成している。室内機２及び室外機３の各々は、配線によって制御装置４と接続されている。制御装置４は、受付部４０及び制御装置側通信部４２を有する。受付部４０及び制御装置側通信部４２の機能については、室内機２の構成を説明した後に説明する。
【００１１】
図２は、実施の形態１に係る空調システム１が有する室内機２の構成を示す図である。室内機２は、制御装置４と通信する室内機側通信部２０と、室内機２が配置される部屋に存在する人の数を検出する検出部２１とを有する。検出部２１は、赤外線を用いて人を検出する赤外線センサ５１と、赤外線センサ５１を駆動する検出部用モータ５２とを有する。
【００１２】
室内機２は、第１のタイミングに検出部２１によって検出された数である第１数と第１のタイミングより後の第２のタイミングに検出部２１によって検出された数である第２数とを比較して第２数が第１数より大きいか否かを判定する数判定部２２を更に有する。数判定部２２は、第１数が１以上であるか否かも判定する。すなわち、数判定部２２は、第１数が０でないか否かも判定する。数判定部２２は、第２数から第１数を減じた数である第３数が第１数より大きいか否かも判定する。
【００１３】
室内機２は、ファン２３と、ファン２３を駆動するファン用モータ２４とを更に有する。
【００１４】
室内機２は、第２数が第１数より大きいと数判定部２２によって判定された場合、第２のタイミング以後に、暖房運転時においては設定温度を上げると共にファン２３の回転数を上げる制御を行い、冷房運転時においては設定温度を下げると共にファン２３の回転数を上げる制御を行う制御部２５を更に有する。
【００１５】
第２数が第１数より大きく第１数が１以上であると数判定部２２によって判定された場合、制御部２５は、第２のタイミング以後に、暖房運転時においては、設定温度の上げ幅を第１数が０であるときの上げ幅より小さくすると共に、ファン２３の回転数の上げ幅を第１数が０であるときの上げ幅より小さくする制御を行う。冷房運転時においては、第２数が第１数より大きく第１数が１以上であると数判定部２２によって判定された場合、制御部２５は、第２のタイミング以後に、設定温度の下げ幅を第１数が０であるときの下げ幅より小さくすると共に、ファン２３の回転数の上げ幅を第１数が０であるときの上げ幅より小さくする制御を行う。
【００１６】
制御部２５は、第２数が第１数より大きく第１数が１以上であると数判定部２２によって判定された場合、以下の制御を行う。すなわち、第２数から第１数を減じた数である第３数が第１数より大きいと数判定部２２によって判定されたとき、制御部２５は、第２のタイミング以後に、暖房運転時においては、設定温度の上げ幅を第３数が第１数以下であるときの上げ幅より大きくすると共に、ファン２３の回転数の上げ幅を第３数が第１数以下であるときの上げ幅より大きくする制御を行う。冷房運転時においては、第３数が第１数より大きいと数判定部２２によって判定されたとき、制御部２５は、第２のタイミング以後に、設定温度の下げ幅を第３数が第１数以下であるときの下げ幅より大きくすると共に、ファン２３の回転数の上げ幅を第３数が第１数以下であるときの上げ幅より大きくする制御を行う。
【００１７】
室内機２は、フラップ２６と、フラップ２６を駆動するフラップ用モータ２７とを更に有する。制御部２５は、フラップ用モータ２７の動作を制御することによりフラップ２６の動作も制御する。制御部２５が行うフラップ２６の動作の制御については、後に室内機２の動作を説明する際に説明する。なお、図２では、１個のフラップ２６だけが示されているが、実施の形態１の室内機２は４個のフラップを有しており、図２におけるフラップ２６は４個のフラップを代表している。４個のフラップは、複数のフラップの一例である。ただし、室内機２には１個のフラップだけが設けられてもよい。室内機２に１個のフラップだけが設けられている場合、図２のフラップ２６は当該１個のフラップを示す。
【００１８】
室内機２は、室内機２が配置される部屋への入室者がいない時間を計測する計測部２８と、計測部２８によって計測された時間があらかじめ決められた時間を超えたか否かを判定する時間判定部２９とを更に有する。第２のタイミングにおける第２数が第１のタイミングにおける第１数より大きく、第２のタイミング以降において当該部屋への入室者がいない場合を想定する。その場合、計測部２８は、検出部２１によって検出された数が第２数以下である状態が第２のタイミングから継続する時間を計測する。あらかじめ決められた時間は、例えば実験によって決定される。
【００１９】
計測部２８によって計測された時間があらかじめ決められた時間を超えたと時間判定部２９によって判定された場合、制御部２５は、設定温度、ファン２３の回転数及びフラップ２６の動作を元に戻す制御を行う。上述の通り、実施の形態１の室内機２は４個のフラップを有しており、図２におけるフラップ２６は４個のフラップを代表しているので、制御部２５がフラップ２６の動作を元に戻す制御を行う場合、制御部２５は４個のフラップの各々の動作を元に戻す制御を行う。なお、室内機２に１個のフラップだけが設けられている場合、制御部２５がフラップ２６の動作を元に戻す制御を行うとき、制御部２５は１個のフラップの動作を元に戻す制御を行う。
【００２０】
室内機２が有する室内機側通信部２０、検出部２１、数判定部２２、制御部２５、計測部２８及び時間判定部２９の機能の一部又は全部は、処理回路６０によって実現されてもよい。図３は、実施の形態１に係る空調システム１における室内機２が有する室内機側通信部２０、検出部２１、数判定部２２、制御部２５、計測部２８及び時間判定部２９を構成する少なくとも一部の構成要素が処理回路６０によって実現される場合の処理回路６０を示す図である。
【００２１】
処理回路６０は、専用のハードウェアである。すなわち、処理回路６０は、例えば、単一回路、複合回路、プログラム化されたプロセッサ、並列プログラム化されたプロセッサ、ＡＳＩＣ(Application  Specific  Integrated  Circuit)、ＦＰＧＡ(Field-Programmable  Gate  Array)、又はこれらを組み合わせたものである。室内機側通信部２０、検出部２１、数判定部２２、制御部２５、計測部２８及び時間判定部２９の一部は、残部とは別個の専用のハードウェアであってもよい。
【００２２】
室内機２が有する室内機側通信部２０、検出部２１、数判定部２２、制御部２５、計測部２８及び時間判定部２９の一部又は全部は、メモリ６１に格納されるプログラムを実行するプロセッサ６２によって実現されてもよい。図４は、実施の形態１に係る空調システム１における室内機２が有する室内機側通信部２０、検出部２１、数判定部２２、制御部２５、計測部２８及び時間判定部２９を構成する少なくとも一部の構成要素がプロセッサ６２によって実現される場合のプロセッサ６２を示す図である。プロセッサ６２は、ＣＰＵ(Central  Processing  Unit)、処理装置、演算装置、マイクロプロセッサ、マイクロコンピュータ、又はＤＳＰ(Digital  Signal  Processor)である。図４には、メモリ６１も示されている。
【００２３】
室内機側通信部２０、検出部２１、数判定部２２、制御部２５、計測部２８及び時間判定部２９を構成する少なくとも一部の構成要素がプロセッサ６２によって実現される場合、当該一部の構成要素の機能は、プロセッサ６２と、ソフトウェア、ファームウェア、又はソフトウェアとファームウェアとの組み合わせにより実現される。ソフトウェア又はファームウェアはプログラムとして記述され、メモリ６１に格納される。プロセッサ６２は、メモリ６１に記憶されたプログラムを読み出して実行することにより、室内機側通信部２０、検出部２１、数判定部２２、制御部２５、計測部２８及び時間判定部２９を構成する少なくとも一部の構成要素の機能を実現する。
【００２４】
すなわち、室内機側通信部２０、検出部２１、数判定部２２、制御部２５、計測部２８及び時間判定部２９を構成する少なくとも一部の構成要素がプロセッサ６２によって実現される場合、室内機２は、室内機側通信部２０、検出部２１、数判定部２２、制御部２５、計測部２８及び時間判定部２９を構成する一部の構成要素によって実行されるステップが結果的に実行されることになるプログラムを格納するためのメモリ６１を有する。メモリ６１に格納されるプログラムは、室内機側通信部２０、検出部２１、数判定部２２、制御部２５、計測部２８及び時間判定部２９を構成する一部の構成要素が実行する手順又は方法をコンピュータに実行させるものであるともいえる。
【００２５】
メモリ６１は、例えば、ＲＡＭ(Random  Access  Memory)、ＲＯＭ(Read  Only  Memory)、フラッシュメモリ、ＥＰＲＯＭ(Erasable  Programmable  Read  Only  Memory)、ＥＥＰＲＯＭ(Electrically  Erasable  Programmable  Read-Only  Memory)等の、不揮発性又は揮発性の半導体メモリ、磁気ディスク、フレキシブルディスク、光ディスク、コンパクトディスク、ミニディスク又はＤＶＤ(Digital  Versatile  Disk)等である。
【００２６】
室内機側通信部２０、検出部２１、数判定部２２、制御部２５、計測部２８及び時間判定部２９の複数の機能について、当該複数の機能の一部を専用のハードウェアで実現し、当該複数の機能の残部をソフトウェア又はファームウェアで実現してもよい。このように、室内機側通信部２０、検出部２１、数判定部２２、制御部２５、計測部２８及び時間判定部２９の複数の機能は、ハードウェア、ソフトウェア、ファームウェア、又はこれらの組み合わせによって実現することができる。
【００２７】
図１に示す通り、制御装置４は受付部４０及び制御装置側通信部４２を有する。受付部４０は、室内機２の制御部２５が行う制御を実行させる指示を受け付ける。例えば、受付部４０は、制御装置４に設けられるボタン又はスイッチがユーザによって利用されることにより、ボタン又はスイッチを介してユーザからの当該指示を受け付ける。制御装置側通信部４２は、受付部４０が当該指示を受け付けた場合、当該指示を室内機２の室内機側通信部２０に送信する。室内機側通信部２０が制御装置側通信部４２から当該指示を受信した場合、制御部２５は実施の形態１の制御を行う。受付部４０及び制御装置側通信部４２の機能の一部又は、全部は処理回路６０と同等の機能を有する処理回路によって実現されてもよい。受付部４０及び制御装置側通信部４２の一部又は全部は、プロセッサ６２と同等の機能を有するプロセッサによって実現されてもよい。
【００２８】
次に、室内機２の動作を説明する。以下では、制御装置４の受付部４０が室内機２の制御部２５が行う制御を実行させる指示を受け付けたことを想定する。図５は、実施の形態１に係る空調システム１が有する室内機２の動作の手順を示すフローチャートである。検出部２１は、室内機２が配置されている部屋に存在する人の数を検出する（Ｓ１）。数判定部２２は、第２のタイミングに検出部２１によって検出された数である第２数が第２のタイミングの直前の検出タイミングである第１のタイミングにおいて検出部２１によって検出された数である第１数より大きいか否かを判定する（Ｓ２）。以下では、第１数を「第１数Ｎ」と記載し、第２数を「第２数Ｍ」と記載する。図５のステップＳ２では、第２のタイミングに検出部２１によって検出された第２数Ｍは「今回の数Ｍ」と記載されており、第１のタイミングに検出部２１によって検出された第１数Ｎは「前回の数Ｎ」と記載されている。
【００２９】
数判定部２２は、第２数Ｍが第１数Ｎより大きいと判定した場合（Ｓ２でＹｅｓ）、第１数Ｎが「０」であるか否かを判定する（Ｓ３）。「０」は、零である。すなわち、数判定部２２は、第２数Ｍが第１数Ｎより大きいと判定した場合（Ｓ２でＹｅｓ）、第１数Ｎが１以上であるか否かを判定する（Ｓ３）。なお、第２数Ｍが第１数Ｎより大きいことは、第１のタイミングから第２のタイミングまでの間に室内機２が配置されている部屋の人の数が増加したことを意味する。すなわち、第２数Ｍが第１数Ｎより大きいことは、第１のタイミングから第２のタイミングまでの間に入室者がいたことを意味する。
【００３０】
第１数Ｎが「０」であると数判定部２２によって判定された場合（Ｓ３でＹｅｓ）、制御部２５は、第２のタイミング以後に、暖房運転時においては設定温度を３℃上げる制御を行い（Ｓ４）、冷房運転時においては設定温度を３℃下げる制御を行い（Ｓ４）、暖房運転時及び冷房運転時のいずれにおいてもファン２３の回転数を上げる制御を行う（Ｓ５）。第１数Ｎが「０」であることは、第１のタイミングに当該部屋には人は存在しておらず、第１のタイミングから第２のタイミングまでの間に当該部屋に人が入って第２のタイミングにおいて人が存在したことを意味する。すなわち、第１数Ｎが「０」であることは、第１のタイミングに当該部屋には人が存在しておらず、第２のタイミングにおいて入室者がいたことを意味する。
【００３１】
入室者は、暖房運転時においては気温が低い外部から部屋に入室するため、冷房運転時においては気温が高い外部から部屋に入室するため、空調制御を入室前よりも強めることを求める傾向がある。そのため、制御部２５は、暖房運転時においては設定温度を３℃上げる制御を行い（Ｓ４）、ファン２３の回転数を上げる制御を行う（Ｓ５）。冷房運転時においては、制御部２５は、設定温度を３℃下げる制御を行い（Ｓ４）、ファン２３の回転数を上げる制御を行う（Ｓ５）。上記の「３℃」は、一例である。
【００３２】
上述の通り、制御部２５は、第２数Ｍが第１数Ｎより大きいと数判定部２２によって判定された場合、第２のタイミング以後に、暖房運転時においては設定温度を上げると共にファン２３の回転数を上げる制御を行い、冷房運転時においては設定温度を下げると共にファン２３の回転数を上げる制御を行う。
【００３３】
第１数Ｎが「０」であると数判定部２２によって判定された場合（Ｓ３でＹｅｓ）は、第１のタイミングに当該部屋には人は存在しておらず、第１のタイミングから第２のタイミングまでの間に当該部屋に人が入って第２のタイミングにおいて人が存在したことを意味する。すなわち、第１数Ｎが「０」であると数判定部２２によって判定された場合（Ｓ３でＹｅｓ）、空調制御を求める者は第１のタイミングから第２のタイミングまでの間の入室者のみである。そのため、第１数Ｎが「０」であると数判定部２２によって判定された場合（Ｓ３でＹｅｓ）、当該入室者の要求だけが満たされればよい。
【００３４】
したがって、第１数Ｎが「０」であると数判定部２２によって判定された場合（Ｓ３でＹｅｓ）、制御部２５は、第１数Ｎが「０」ではなく１以上であると数判定部２２によって判定された場合（Ｓ３でＮｏ）よりも、暖房運転時においては設定温度の上げ幅を大きくし、冷房運転時においては設定温度の下げ幅を大きくする制御を行う。加えて、制御部２５は、暖房運転時及び冷房運転時のいずれにおいても、第１数Ｎが１以上であると数判定部２２によって判定された場合（Ｓ３でＮｏ）よりも、ファン２３の回転数の上げ幅を大きくする制御を行う。その結果、当該入室者の要求は満たされる。なお、第１数Ｎが「０」ではなく１以上であると数判定部２２によって判定された場合（Ｓ３でＮｏ）は、第１のタイミングにおいても第２のタイミングにおいても当該部屋に人が存在していることを意味する。
【００３５】
数判定部２２は、第１数Ｎが「０」ではなく１以上であると判定した場合（Ｓ３でＮｏ）、第２数Ｍから第１数Ｎを減じた数である第３数が第１数Ｎより大きいか否かを判定する（Ｓ６）。以下では、第３数を「第３数（Ｍ−Ｎ）」と記載する。図５のステップＳ６では、第３数は（Ｍ−Ｎ）と記載されている。なお、第１数Ｎが１以上であることは、第１のタイミングに当該部屋に人が存在しており、第１のタイミングから第２のタイミングまでの間に当該部屋の人の数が増加したことを意味する。
【００３６】
第３数（Ｍ−Ｎ）が第１数Ｎより大きいと数判定部２２によって判定された場合（Ｓ６でＹｅｓ）、制御部２５は、第２のタイミング以後に、暖房運転時においては設定温度を２℃上げる制御を行い（Ｓ７）、冷房運転時においては設定温度を２℃下げる制御を行い（Ｓ７）、暖房運転時及び冷房運転時のいずれにおいてもファン２３の回転数を上げる制御を行う（Ｓ８）。
【００３７】
第３数（Ｍ−Ｎ）が第１数Ｎより大きいことは、第１のタイミングから第２のタイミングまでの間に当該部屋に入った人の数が第１のタイミングにおいて当該部屋に存在した人の数より多いことを意味する。言い換えると、第３数（Ｍ−Ｎ）が第１数Ｎより大きいことは、第１のタイミングから第２のタイミングまでの間の入室者の数が第１のタイミングに当該部屋に存在していた元の在室者の数よりも多いことを意味する。第３数（Ｍ−Ｎ）が第１数Ｎ以下であることは、第１のタイミングから第２のタイミングまでの間の入室者の数が元の在室者の数以下であることを意味する。
【００３８】
そのため、第３数（Ｍ−Ｎ）が第１数Ｎより大きいと数判定部２２によって判定された場合（Ｓ６でＹｅｓ）、第１のタイミングから第２のタイミングまでの間の入室者のみが求める空調制御が行われると、空調制御が大きく変化し、変化後の空調制御は元の在室者に対して適切でなくなる。したがって、第３数（Ｍ−Ｎ）が第１数Ｎより大きいと数判定部２２によって判定された場合（Ｓ６でＹｅｓ）の空調制御の程度は、第１数Ｎが「０」であると数判定部２２によって判定された場合（Ｓ３でＹｅｓ）の空調制御の程度よりも弱い。
【００３９】
上述の通り、第３数（Ｍ−Ｎ）が第１数Ｎより大きいことは、第１のタイミングから第２のタイミングまでの間の入室者の数が第１のタイミングに当該部屋に存在していた元の在室者の数よりも多いことを意味する。すなわち、第２のタイミングにおいて、相対的に強い空調制御が行われることを希望する入室者の数が相対的に弱い空調制御が行われることを希望する元の在室者の数より多い。
【００４０】
そのため、第３数（Ｍ−Ｎ）が第１数Ｎより大きいと数判定部２２によって判定された場合（Ｓ６でＹｅｓ）の空調制御の程度は、第３数（Ｍ−Ｎ）が第１数Ｎ以下であると数判定部２２によって判定された場合（Ｓ６でＮｏ）の空調制御の程度よりも強い。上述の通り、第３数（Ｍ−Ｎ）が第１数Ｎ以下であることは、第１のタイミングから第２のタイミングまでの入室者の数が元の在室者の数以下であることを意味する。すなわち、第２のタイミングにおいて、相対的に強い空調制御が行われることを希望する入室者の数が相対的に弱い空調制御が行われることを希望する元の在室者の数以下である。
【００４１】
したがって、第３数（Ｍ−Ｎ）が第１数Ｎより大きいと数判定部２２によって判定された場合（Ｓ６でＹｅｓ）、制御部２５は、第３数（Ｍ−Ｎ）が第１数Ｎ以下であると数判定部２２によって判定された場合（Ｓ６でＮｏ）よりも、暖房運転時においては設定温度の上げ幅を大きくし、冷房運転時においては設定温度の下げ幅を大きくする制御を行う。加えて、第３数（Ｍ−Ｎ）が第１数Ｎより大きいと数判定部２２によって判定された場合（Ｓ６でＹｅｓ）、制御部２５は、暖房運転時及び冷房運転時のいずれにおいても、第３数（Ｍ−Ｎ）が第１数Ｎ以下であると数判定部２２によって判定された場合（Ｓ６でＮｏ）よりも、ファン２３の回転数の上げ幅を大きくする制御を行う。
【００４２】
その結果、室内機２の空調能力の変化が大きくなることが抑制され、ひいては第１のタイミングから第２のタイミングまでの間の入室者が求める空調制御に対する要求も満たされ、かつ、元の在室者の空調制御に対する要求も満たされる。上記の「２℃」は、一例である。
【００４３】
第３数（Ｍ−Ｎ）が第１数Ｎより大きくなく第１数Ｎ以下であると数判定部２２によって判定された場合（Ｓ６でＮｏ）、制御部２５は、第２のタイミング以後に、暖房運転時においては設定温度を１℃上げる制御を行い（Ｓ９）、冷房運転時においては設定温度を１℃下げる制御を行い（Ｓ９）、暖房運転時及び冷房運転時のいずれにおいてもファン２３の回転数を上げる制御を行う（Ｓ１０）。
【００４４】
更に言うと、第３数（Ｍ−Ｎ）が第１数Ｎ以下であると数判定部２２によって判定された場合（Ｓ６でＮｏ）、制御部２５は以下の制御を行う。すなわち、制御部２５は、暖房運転時においては設定温度を上げる制御を行うものの、設定温度の上げ幅を、第３数（Ｍ−Ｎ）が第１数Ｎより大きいと数判定部２２によって判定された場合（Ｓ６でＹｅｓ）の上げ幅よりも小さくする。制御部２５は、冷房運転時においては設定温度を下げる制御を行うものの、設定温度の下げ幅を、第３数（Ｍ−Ｎ）が第１数Ｎより大きいと数判定部２２によって判定された場合（Ｓ６でＹｅｓ）の下げ幅よりも小さくする。制御部２５は、ファン２３の回転数を上げる制御を行うものの、回転数の上げ幅を、第３数（Ｍ−Ｎ）が第１数Ｎより大きいと数判定部２２によって判定された場合（Ｓ６でＹｅｓ）の上げ幅よりも小さくする。
【００４５】
上述の通り、第３数（Ｍ−Ｎ）が第１数Ｎ以下であることは、第１のタイミングから第２のタイミングまでの間の入室者の数が元の在室者の数以下であることを意味する。そのため、上述のように、第３数（Ｍ−Ｎ）が第１数Ｎ以下であると数判定部２２によって判定された場合（Ｓ６でＮｏ）の空調制御の程度は、第３数（Ｍ−Ｎ）が第１数Ｎより大きいと数判定部２２によって判定された場合（Ｓ６でＹｅｓ）の空調制御の程度よりも弱い。その結果、第１のタイミングから第２のタイミングまでの間の入室者が求める空調制御に対する要求も満たされ、かつ、元の在室者の空調制御に対する要求も満たされる。上記の「１℃」は、一例である。
【００４６】
ここで、第１数Ｎが「０」であると数判定部２２によって判定された場合（Ｓ３でＹｅｓ）を第１の場合と定義し、第３数（Ｍ−Ｎ）が第１数Ｎより大きいと数判定部２２によって判定された場合（Ｓ６でＹｅｓ）を第２の場合と定義し、第３数（Ｍ−Ｎ）が第１数Ｎ以下であると数判定部２２によって判定された場合（Ｓ６でＮｏ）を第３の場合と定義する。上述の説明から理解できる通り、第１の場合、第２の場合及び第３の場合のなかでは、第１の場合の空調制御の程度が最も強く、第３の場合の空調制御の程度が最も弱い。
【００４７】
すなわち、３段階の空調制御の程度のなかでは、第１のタイミングに当該部屋に人が存在しておらず、第１のタイミングから第２のタイミングまでの間に当該部屋に人が入って第２のタイミングにおいて人が存在した場合、空調制御の程度は最も強い。第１のタイミングから第２のタイミングまでの間に当該部屋に入った人の数が第１のタイミングにおいて当該部屋に存在した人の数以下である多い場合、空調制御の程度は最も弱い。第１のタイミングから第２のタイミングまでの間に当該部屋に入った人の数が第１のタイミングにおいて当該部屋に存在した人の数より多い場合、空調制御の程度は最も強い制御と最も弱い制御との中間である。
【００４８】
そのため、図５では、ステップＳ５において「変更量：大」という文言が記載されており、ステップＳ８において「変更量：中」という文言が記載されており、ステップＳ１０において「変更量：小」という文言が記載されている。「変更量：大」は３段階の空調制御の程度のなかで最も強い空調制御に対応しており、「変更量：小」は最も弱い空調制御に対応しており、「変更量：中」は最も強い空調制御と最も弱い空調制御との中間の空調制御に対応している。
【００４９】
ステップＳ５、ステップＳ８及びステップＳ１０の各動作が行われると、室内機２の動作はステップＳ１１に移行する。ステップＳ１１において、フラップ２６の動作が制御される。ステップＳ１１において行われる動作については、図６から図１０を用いて後述する。
【００５０】
上述の通り、ステップＳ２において、数判定部２２は、第２数Ｍが第１数Ｎより大きいか否かを判定する。第２数Ｍが第１数Ｎより大きいことは、第１のタイミングから第２のタイミングまでの間に室内機２が配置されている部屋の人の数が増加したことを意味する。すなわち、第１のタイミングから第２のタイミングまでの間に入室者がいたことを意味する。したがって、第２数Ｍが第１数Ｎより大きくないこと、つまり第２数Ｍが第１数Ｎ以下であることは、第１のタイミングから第２のタイミングまでの間に入室者がいなかったことを意味する。
【００５１】
第２数Ｍが第１数Ｎより大きくないと数判定部２２によって判定された場合（Ｓ２でＮｏ）、計測部２８は、当該部屋への入室者がいない時間を計測する（Ｓ１２）。時間判定部２９は、計測部２８によって計測された時間があらかじめ決められた時間を超えたか否かを判定する（Ｓ１３）。言い換えると、時間判定部２９は、計測部２８によって計測された時間があらかじめ決められた時間を経過したか否かを判定する（Ｓ１３）。計測部２８によって計測された時間があらかじめ決められた時間を超えたと時間判定部２９によって判定された場合（Ｓ１３でＹｅｓ）、制御部２５は、設定温度、ファン２３の回転数及びフラップ２６の動作を元に戻す制御を行う（Ｓ１４）。
【００５２】
第２のタイミングにおける第２数Ｍが第１のタイミングにおける第１数Ｎより大きく、設定温度、ファン２３の回転数及びフラップ２６の動作を変更する制御が行われた後において、当該部屋への入室者がいない場合を想定する。その場合、計測部２８は、検出部２１によって検出された数が第２数Ｍ以下である状態が第２のタイミングから継続する時間を計測する。計測部２８によって計測された時間があらかじめ決められた時間を超えたと時間判定部２９によって判定された場合、制御部２５は、設定温度、ファン２３の回転数及びフラップ２６の動作を元の動作に戻す制御を行う。
【００５３】
計測部２８によって計測された時間があらかじめ決められた時間を超えていないと時間判定部２９によって判定された場合（Ｓ１３でＮｏ）と、ステップＳ１４の動作が行われた場合、室内機２の動作は終了する。ステップＳ１１の動作が行われた場合、計測部２８は計測時間をリセットし（Ｓ１５）、室内機２の動作は終了する。
【００５４】
以下において、図５のステップＳ１１において行われる動作について説明するが、当該動作を説明する前に、当該動作を説明するための事項を説明する。図６は、実施の形態１に係る空調システム１が有する室内機２が配置されている部屋７０の天井の平面図である。室内機２は、部屋７０の天井の中央に配置されている。部屋７０の天井の外縁は四角形であって、室内機２の平面の外縁も四角形であり、部屋７０の天井の四角形の各辺が室内機２の外縁の四角形のいずれかの辺と平行に、室内機２は部屋７０の天井の中央に配置されている。
【００５５】
部屋７０は、第１区域７１、第２区域７２、第３区域７３及び第４区域７４によって構成されている。第１区域７１、第２区域７２、第３区域７３及び第４区域７４は、複数の区域の一例である。部屋７０の天井において、第１区域７１は、部屋７０の天井の外縁の四角形のひとつの辺と、室内機２の平面の外縁の四角形を構成する４辺のうちの部屋７０の当該ひとつの辺と平行な２辺のうちの当該ひとつの辺に近い辺と、部屋７０の当該ひとつの辺の両端部とで囲まれている。第１区域７１は、部屋７０の天井から床まで連続している。第２区域７２、第３区域７３及び第４区域７４の各々も、図６に示される通り、第１区域７１と同様に定義される区域である。部屋７０の第１区域７１の第２区域７２側の端部において、部屋７０に対する人の出入り口７５が形成されている。
【００５６】
図７は、実施の形態１に係る空調システム１が有する室内機２を鉛直下方から鉛直上方の向きに見た場合の室内機２の平面図である。室内機２は、四角形の平面パネル３０を更に有する。平面パネル３０の中央には、四角形の吸込み口３１が形成されている。平面パネル３０には、検出部２１が取り付けられている。上述の通り、室内機２は４個のフラップを有している。すなわち、図７に示す通り、室内機２は、平面パネル３０に取り付けられた第１フラップ２６ａ、第２フラップ２６ｂ、第３フラップ２６ｃ及び第４フラップ２６ｄを有する。第１フラップ２６ａ、第２フラップ２６ｂ、第３フラップ２６ｃ及び第４フラップ２６ｄは、複数のフラップの一例である。
【００５７】
第１フラップ２６ａ、第２フラップ２６ｂ、第３フラップ２６ｃ及び第４フラップ２６ｄは、吸込み口３１を囲んでいる。第１フラップ２６ａは部屋７０の第１区域７１に対応していて第１区域７１へ風を送るためのものであり、第２フラップ２６ｂは部屋７０の第２区域７２に対応していて第２区域７２へ風を送るためのものである。第３フラップ２６ｃは部屋７０の第３区域７３に対応していて第３区域７３へ風を送るためのものであり、第４フラップ２６ｄは部屋７０の第４区域７４に対応していて第４区域７４へ風を送るためのものである。
【００５８】
室内機２には、第１フラップ２６ａに対応する第１吹出し口３２ａと、第２フラップ２６ｂに対応する第２吹出し口３２ｂと、第３フラップ２６ｃに対応する第３吹出し口３２ｃと、第４フラップ２６ｄに対応する第４吹出し口３２ｄとが形成されている。第１フラップ２６ａ、第２フラップ２６ｂ、第３フラップ２６ｃ及び第４フラップ２６ｄの各々は、対応する吹出し口から吹出す風の向きを制御する。第１フラップ２６ａ、第２フラップ２６ｂ、第３フラップ２６ｃ及び第４フラップ２６ｄの各々は、対応する吹出し口を覆うことができる。
【００５９】
図８は、実施の形態１に係る空調システム１が有する室内機２の第１の側面図である。室内機２は、室内機２を構成する上述の構成要素のうちの、検出部２１、第１フラップ２６ａ、第２フラップ２６ｂ、第３フラップ２６ｃ、第４フラップ２６ｄ、平面パネル３０、吸込み口３１、第１吹出し口３２ａ、第２吹出し口３２ｂ、第３吹出し口３２ｃ及び第４吹出し口３２ｄを除く構成要素が収められる箱体３３を更に有する。箱体３３は図６に示す部屋７０の天井に取り付けられ、平面パネル３０は箱体３３の鉛直下方側に取り付けられている。
【００６０】
図８の実線は、フラップ２６が閉じている状態を示している。図８における０°は、フラップ２６が閉じていることを示している。図８の破線は、フラップ２６が９０°開いている状態を示している。図９は、実施の形態１に係る空調システム１が有する室内機２の第２の側面図である。図９の実線は、フラップ２６が９０°開いている状態を示している。図９の矢印３４は、フラップ２６が図８の閉じている状態から図９の９０°開いている状態との間で回動可能であることを示している。つまり、矢印３４は、フラップ２６がスイング可能であることを示している。図９の破線は、フラップ２６が０°から９０°のうちのいずれかの角度で開いている状態を示している。
【００６１】
次に、ステップＳ１１において行われる動作について説明する。図１０は、実施の形態１に係る空調システム１が有する室内機２の動作のうちの図５のステップＳ１１において行われる動作の手順を示すフローチャートである。検出部２１、数判定部２２及び制御部２５は、第１区域７１、第２区域７２、第３区域７３及び第４区域７４の各々について、以下の通りに動作する。
【００６２】
検出部２１は、存在する人の数を検出する。以下では、第１区域７１において第１のタイミングに検出部２１によって検出された数を第４数と定義し、第１区域７１において第２のタイミングに検出部２１によって検出された数を第５数と定義する。数判定部２２は、第２のタイミングに検出部２１によって検出された数である第５数が「０」であるか否かを判定する（Ｓ１６）。第５数が「０」であると数判定部２２によって判定された場合（Ｓ１６でＹｅｓ）、制御部２５はフラップ２６ａを閉じる制御を行う（Ｓ１７）。第５数が０であることは、第１区域７１に人が存在しないことを意味する。
【００６３】
数判定部２２は、第５数が「０」ではなく１以上であると判定した場合（Ｓ１６でＮｏ）、第１のタイミングに検出部２１によって検出された数である第４数が「０」であるか否かを判定する（Ｓ１８）。第４数が「０」であると数判定部２２によって判定された場合（Ｓ１８でＹｅｓ）、制御部２５は、フラップ２６ａからフラップ２６ｄのうちのフラップ２６ａのみをスイングさせる制御を行う（Ｓ１９）。第４数が「０」であることは、第１区域７１において元の在室者は存在せず、新たな入室者しか存在しないことを意味する。
【００６４】
第４数が「０」ではなく１以上であると数判定部２２によって判定された場合（Ｓ１８でＮｏ）、制御部２５はフラップ２６ａの動作を維持する制御を行う（Ｓ２０）。第４数が「０」ではなく１以上であると数判定部２２によって判定された場合（Ｓ１８でＮｏ）は、第１区域７１において元の在室者も新たな入室者も存在することを意味する。
【００６５】
すなわち、制御部２５は、第１区域７１において、人が存在しない場合にフラップ２６ａを閉じる制御を行い（Ｓ１７）、新たな入室者しか存在しない場合にフラップ２６ａをスイングさせる制御を行い（Ｓ１９）、元の在室者も新たな入室者も存在する場合にフラップ２６ａの動作を維持する制御を行う（Ｓ２０）。第２区域７２、第３区域７３及び第４区域７４の各々において、制御部２５は、第１区域７１に対応するフラップ２６ａに対して行う制御と同一の制御を、フラップ２６ｂ、フラップ２６ｃ、フラップ２６ｄに対して行う。
【００６６】
上述の通り、室内機２は、部屋に人が存在する状態から当該部屋に人が入った場合において暖房運転時においては設定温度を上げると共にファン２３の回転数を上げる制御を行い、冷房運転時においては設定温度を下げると共にファン２３の回転数を上げる制御を行う。すなわち、室内機２は、空調制御の対象の部屋に既に人が存在していて当該部屋に新たな人が入った場合において、当該部屋に対して適切な空調制御を行うことができるという効果を奏する。
【００６７】
また、室内機２は、以下の３個の場合の各々において、空調制御の程度を異ならせる。すなわち、第１のタイミングに当該部屋には人が存在しておらず、第１のタイミングから第２のタイミングまでの間に当該部屋に人が入って第２のタイミングにおいて人が存在した第１の場合、３段階の空調制御のなかで、室内機２は空調制御の程度を最も強くする。第１のタイミングから第２のタイミングまでの間に当該部屋に入った人の数が第１のタイミングにおいて当該部屋に存在した人の数以下である第３の場合、室内機２は空調制御の程度を最も弱くする。第１のタイミングから第２のタイミングまでの間に当該部屋に入った人の数が第１のタイミングにおいて当該部屋に存在した人の数より多い第２の場合、室内機２は空調制御の程度を第１の場合の程度と第３の場合の程度との中間の程度にする。
【００６８】
上述の室内機２による制御により、室内機２は、第１の場合、第２の場合及び第３の場合のいずれにおいても、元の在室者に対しても新たな入室者に対しても適切に空調制御を行うことができる。
【００６９】
加えて、室内機２は、各区域において、人が存在しない場合にフラップ２６を閉じる制御を行う。当該制御により、室内機２は、人が存在しない区域に対して風を送る無駄な動作を行わないことができる。また、室内機２は、各区域において、新たな入室者しか存在しない場合にフラップ２６をスイングさせる制御を行い、元の在室者も新たな入室者も存在する場合にフラップ２６の動作を維持する制御を行う。つまり、室内機２は、各区域において、各区域に存在する人に対して適切に風を向かわせることができる。
【００７０】
さらに、室内機２は、室内機２が配置される部屋への入室者がいない時間があらかじめ決められた時間を超えた場合、設定温度、ファン２３の回転数及びフラップ２６の動作を元に戻す制御を行う。当該制御により、室内機２は、通常より過剰な空調制御によって室内機２が配置されている部屋を冷やしすぎること及び暖めすぎることを抑制することができる。
【００７１】
実施の形態１では、制御装置４の受付部４０が室内機２の制御部２５が行う制御を実行させる指示を受け付けると、制御部２５は上述した制御を行う。受付部４０が室内機２の制御部２５が行う制御の実行を停止する指示を受け付けた場合、当該指示は制御装置側通信部４２によって室内機側通信部２０に送信され、制御部２５は実施の形態１の制御の実行を停止する。すなわち、空調システム１は、ユーザに対して、制御部２５が上述した制御を実行させるか否かを決定させることができる。言い換えると、ユーザは、制御部２５に上述した制御を実行させるか否かを決定することができる。なお、制御部２５は、受付部４０が室内機２の制御部２５が行う制御を実行させる指示を受け付けるかどうかにかかわらずに上述した制御を行うと設計されてもよい。
【００７２】
なお、上述した実施の形態１では、図２に示す通り、室内機２は、１個のファン用モータ２４と、１個のフラップ用モータ２７とを有する。しかしながら、室内機２は、複数個のファン用モータ２４を有してもよいし、複数個のフラップ用モータ２７を有してもよい。同様に、上述した実施の形態１では、図２に示す通り、室内機２は、１個の赤外線センサ５１と、１個の検出部用モータ５２とを含む検出部２１を有する。しかしながら、検出部２１は、複数個の赤外線センサ５１を有してもよいし、複数個の検出部用モータ５２を有してもよい。
【００７３】
上述した実施の形態１では、図２に示す通り、室内機２が検出部２１を有する。しかしながら、検出部２１は室内機２以外の部位に設けられてもよい。例えば、検出部２１は室内機２が設けられる部屋の天井に設けられてもよい。
【００７４】
実施の形態２．
次に、実施の形態２に係る空調システム１Ａを説明する。まず、実施の形態２に係る空調システム１Ａの構成を説明する。図１１は、実施の形態２に係る空調システム１Ａの構成を示す図である。空調システム１Ａは、検出部２１ａを含む室内機２ａと、検出部２１ｂを含む室内機２ｂと、検出部２１ｃを含む室内機２ｃと、検出部２１ｄを含む室内機２ｄと、室外機３と、制御装置４ａとを有する。室内機２ａ、室内機２ｂ、室内機２ｃ及び室内機２ｄは、ひとつの部屋に配置される。当該部屋は実施の形態１の部屋より大きく、実施の形態１の部屋と区別するため、以下では、実施の形態２の部屋を大部屋と記載する。室内機２ａ、室内機２ｂ、室内機２ｃ及び室内機２ｄは、複数の室内機の一例である。
【００７５】
検出部２１ａ、検出部２１ｂ、検出部２１ｃ及び検出部２１ｄの各々は、実施の形態１の検出部２１と同一の機能を有する。室内機２ｂ、室内機２ｃ及び室内機２ｄの各々は、室内機２ａと同一の機能を有する。制御装置４ａは、室内機２ａ、室内機２ｂ、室内機２ｃ、室内機２ｄ及び室外機３を制御する。
【００７６】
室内機２ａ、室内機２ｂ、室内機２ｃ及び室内機２ｄの各々は、配管及び配線によって室外機３と接続されていて、室内機２ａ、室内機２ｂ、室内機２ｃ、室内機２ｄ及び室外機３は冷凍サイクルを構成している。室内機２ａ、室内機２ｂ、室内機２ｃ、室内機２ｄ及び室外機３の各々は、配線によって制御装置４ａと接続されている。
【００７７】
制御装置４ａは、室内機２ａ、室内機２ｂ、室内機２ｃ及び室内機２ｄの各々の制御部が行う制御を実行させる指示を受け付ける受付部４０と、制御装置４ａに接続されている室内機の個数を判定する室内機判定部４１とを有する。制御装置４ａは、室内機２ａ、室内機２ｂ、室内機２ｃ及び室内機２ｄと通信する制御装置側通信部４２と、制御装置側通信部４２によって得られた数に関する情報をもとに当該数の合計を算出する算出部４３とを更に有する。
【００７８】
制御装置４ａは、第１のタイミングに算出部４３によって得られた合計である第１合計と、第１のタイミングより後のタイミングである第２のタイミングに算出部４３によって得られた合計である第２合計とを比較して、第２合計が第１合計より大きいか否かを判定する制御装置側数判定部４４を更に有する。制御装置４ａが有する各構成要素の上述の機能と異なる機能については、後に空調システム１Ａの動作を説明する際に説明する。
【００７９】
次に、室内機２ａ、室内機２ｂ、室内機２ｃ及び室内機２ｄについて説明する。図１２は、実施の形態２に係る空調システム１Ａが有する室内機２ａ、室内機２ｂ、室内機２ｃ及び室内機２ｄが配置されている大部屋８０を示す図である。大部屋８０は、実施の形態１の部屋７０より大きい。大部屋８０は、第１領域８１と、第２領域８２と、第３領域８３と、第４領域８４とによって構成されている。第１領域８１、第２領域８２、第３領域８３及び第４領域８４の各々の大きさは、他のひとつの領域の大きさと同一である。大部屋８０の第１領域８１において、大部屋８０に対する人の出入り口８５が形成されている。
【００８０】
室内機２ａは第１領域８１の天井の中央に配置されており、室内機２ｂは第２領域８２の天井の中央に配置されており、室内機２ｃは第３領域８３の天井の中央に配置されており、室内機２ｄは第４領域８４の天井の中央に配置されている。すなわち、第１領域８１は室内機２ａに対応しており、第２領域８２は室内機２ｂに対応しており、第３領域８３は室内機２ｃに対応しており、第４領域８４は室内機２ｄに対応している。
【００８１】
次に、室内機２ａの構成を説明する。図１３は、実施の形態２に係る空調システム１Ａが有する室内機２ａの構成を示す図である。室内機２ａは、実施の形態１の検出部２１と同一の機能を有する検出部２１ａを有する。検出部２１ａは、大部屋８０の内部の複数の領域のうちの対応する領域に存在する人の数を検出する。すなわち、検出部２１ａは、第１領域８１に存在する人の数を検出する。検出部２１ａは、実施の形態１の赤外線センサ５１と同一の機能を有する赤外線センサ５１ａと、実施の形態１の検出部用モータ５２と同一の機能を有する検出部用モータ５２ａとを有する。
【００８２】
室内機２ａは、第１のタイミングに検出部２１ａによって検出された数である第１数と第１のタイミングより後の第２のタイミングに検出部２１ａによって検出された数である第２数とを比較して第２数が第１数より大きいか否かを判定する室内機側数判定部２２ａを更に有する。室内機側数判定部２２ａは、上述の機能以外の機能も有するが、上述の機能以外の機能については、後に空調システム１Ａの動作を説明する際に説明する。
【００８３】
室内機２ａは、制御装置４ａの制御装置側通信部４２と通信する室内機側通信部５３ａと、制御部２５ａとを更に有する。制御部２５ａの機能については、後に動作を説明する際に説明する。制御装置４ａの受付部４０が室内機２ａ、室内機２ｂ、室内機２ｃ及び室内機２ｄの各々の制御部が行う制御を実行させる指示を受け付けると、制御装置側通信部４２は当該指示を室内機側通信部５３ａに送信する。室内機側通信部５３ａが当該指示を受信すると、制御部２５ａは実施の形態２の制御を行う。すなわち、制御部２５ａは受付部４０が当該指示を受け付けた場合、実施の形態２の制御を行う。
【００８４】
室内機２ａは、実施の形態１のファン２３と同一の機能を有するファン２３ａと、実施の形態１のファン用モータ２４と同一の機能を有するファン用モータ２４ａと、実施の形態１のフラップ２６と同一の機能を有するフラップ２６ｅと、実施の形態１のフラップ用モータ２７と同一の機能を有するフラップ用モータ２７ａとを更に有する。室内機２ａは、実施の形態１の計測部２８と同一の機能を有する計測部２８ａと、実施の形態１の時間判定部２９と同一の機能を有する時間判定部２９ａとを更に有する。
【００８５】
上述の通り、室内機２ｂ、室内機２ｃ及び室内機２ｄの各々は室内機２ａと同一の機能を有する。更に言うと、室内機２ｂ、室内機２ｃ及び室内機２ｄの各々の構成は、室内機２ａの構成と同一である。そのため、室内機２ｂ、室内機２ｃ及び室内機２ｄの各々の構成の説明を省略する。
【００８６】
室内機２ａが有する検出部２１ａ、室内機側数判定部２２ａ、制御部２５ａ、計測部２８ａ、時間判定部２９ａ及び室内機側通信部５３ａの機能の一部又は全部は、実施の形態１において説明した処理回路６０と同等の機能を有する処理回路によって実現されてもよい。室内機２ａが有する検出部２１ａ、室内機側数判定部２２ａ、制御部２５ａ、計測部２８ａ、時間判定部２９ａ及び室内機側通信部５３ａの一部又は全部は、実施の形態１において説明したプロセッサ６２と同等の機能を有するプロセッサによって実現されてもよい。
【００８７】
同様に、制御装置４ａが有する受付部４０、室内機判定部４１、制御装置側通信部４２、算出部４３及び制御装置側数判定部４４の機能の一部又は全部は、実施の形態１において説明した処理回路６０と同等の機能を有する処理回路によって実現されてもよい。受付部４０、室内機判定部４１、制御装置側通信部４２、算出部４３及び制御装置側数判定部４４の一部又は全部は、実施の形態１において説明したプロセッサ６２と同等の機能を有するプロセッサによって実現されてもよい。
【００８８】
次に、実施の形態２に係る空調システム１Ａの動作を説明する。以下では、制御装置４ａの受付部４０が、室内機２ａ、室内機２ｂ、室内機２ｃ及び室内機２ｄの各々の制御部が行う制御を実行させる指示を受け付けたことを想定する。まず、空調システム１Ａが有する制御装置４ａの動作を説明する。図１４は、実施の形態２に係る空調システム１Ａが有する制御装置４ａの動作の手順を示すフローチャートである。室内機判定部４１は、制御装置４ａに接続されている室内機の個数を判定する（Ｓ２１）。制御装置４ａに接続されている室内機の個数が１個であると室内機判定部４１によって判定された場合（Ｓ２１でＹｅｓ）、制御装置側通信部４２は、制御装置４ａに接続されている室内機の個数が１個であることを示す個数情報を、制御装置４ａに接続されている室内機に送信する（Ｓ２２）。
【００８９】
制御装置４ａに接続されている室内機の個数が１個でないと室内機判定部４１によって判定された場合（Ｓ２１でＮｏ）、制御装置側通信部４２は、制御装置４ａに接続されているすべての室内機に対して、当該室内機に対応する領域に存在する人の数を特定する情報を送信することを要求し、すべての室内機から、当該室内機に対応する領域に存在する人の数を特定する情報を受信する（Ｓ２３）。
【００９０】
算出部４３は、制御装置側通信部４２によって受信された情報をもとに、大部屋８０に存在する人の数の合計を算出する（Ｓ２４）。制御装置側数判定部４４は、第１のタイミングに複数の室内機のすべての検出部によって検出された数である第１合計と第２のタイミングに複数の室内機のすべての検出部によって検出された数である第２合計とを比較し、第２合計が第１合計より大きいか否かを判定する（Ｓ２５）。以下では、第１合計を「第１合計Ｎｍａｘ」と記載し、第２合計を「第２合計Ｍｍａｘ」と記載する。図１４のステップＳ２５では、第１のタイミングに複数の室内機のすべての検出部によって検出された数である第１合計は「前回の合計Ｎｍａｘ」と記載されており、第２のタイミングに複数の室内機のすべての検出部によって検出された数である第２合計は「今回の合計Ｍｍａｘ」と記載されている。
【００９１】
第２合計Ｍｍａｘが第１合計Ｎｍａｘより大きいと制御装置側数判定部４４によって判定された場合（Ｓ２５でＹｅｓ）、制御装置側通信部４２は、第２合計Ｍｍａｘが第１合計Ｎｍａｘより大きいことを示す増加情報を複数の室内機のすべてに送信する（Ｓ２６）。第２合計Ｍｍａｘが第１合計Ｎｍａｘ以下であると制御装置側数判定部４４によって判定された場合（Ｓ２５でＮｏ）、制御装置側通信部４２は、第２合計Ｍｍａｘが第１合計Ｎｍａｘ以下であることを示す不増加情報を複数の室内機のすべてに送信する（Ｓ２７）。
【００９２】
次に、実施の形態２に係る空調システム１Ａが有する室内機２ａの動作を説明する。上述の通り、室内機２ｂ、室内機２ｃ及び室内機２ｄの各々は室内機２ａと同一の機能を有し、以下では室内機２ａの動作を説明するので、室内機２ｂ、室内機２ｃ及び室内機２ｄの各々の動作の説明を省略する。図１５は、実施の形態２に係る空調システム１Ａが有する室内機２ａの動作の手順を示すフローチャートである。
【００９３】
検出部２１ａは、室内機２ａに対応する第１領域８１に存在する人の数を検出する（Ｓ３１）。制御部２５ａは、室内機側通信部５３ａが制御装置４ａの制御装置側通信部４２から増加情報を受信したか否かを判定する（Ｓ３２）。室内機側通信部５３ａが増加情報を受信しないと制御部２５ａによって判定された場合（Ｓ３２でＮｏ）、室内機２ａの動作はステップＳ４６に移行する。なお、室内機側通信部５３ａが個数情報を受信したと制御部２５ａによって判定された場合、室内機２ａは実施の形態１の室内機２と同一の動作を行う。
【００９４】
ステップＳ４６の動作は、実施の形態１において説明した図５のステップＳ１２の動作と同一である。ステップＳ４６の動作の後、室内機２ａの動作はステップＳ４７に移行し、ステップＳ４７の動作の後、室内機２ａの動作はステップＳ４８に移行する。ステップＳ４７の動作は図５のステップＳ１３の動作と同一であり、ステップＳ４８の動作は図５のステップＳ１４の動作と同一である。
【００９５】
すなわち、計測部２８ａは検出部２１ａによって検出された数が第２数以下である状態が第２のタイミングから継続する時間を計測し、時間判定部２９ａは検出部２１ａによって計測された時間があらかじめ決められた時間を超えたか否かを判定する。計測部２８ａによって計測された時間があらかじめ決められた時間を超えたと時間判定部２９ａによって判定された場合、制御部２５ａは、設定温度、ファン２３ａの回転数及びフラップ２６ａの動作を元に戻す制御を行う。
【００９６】
ステップＳ３２において、室内機側通信部５３ａが増加情報を受信したと制御部２５ａによって判定された場合（Ｓ３２でＹｅｓ）、室内機側数判定部２２ａは、第２のタイミングに検出部２１ａによって検出された数である第２数が第２のタイミングの直前の検出タイミングである第１のタイミングにおいて検出部２１ａによって検出された数である第１数より大きいか否かを判定する（Ｓ３３）。以下では、実施の形態２の第１数を「第１数ｎ」と記載し、実施の形態２の第２数を「第２数ｍ」と記載する。図１５のステップＳ３３では、第１のタイミングに検出部２１ａによって検出された第１数は「前回の数ｎ」と記載されており、第２のタイミングに検出部２１ａによって検出された第２数は「今回の数ｍ」と記載されている。
【００９７】
第２数ｍが第１数ｎ以下であると室内機側数判定部２２ａによって判定された場合（Ｓ３３でＮｏ）、室内機２ａの動作はステップＳ４６に移行する。第２数ｍが第１数ｎより大きいと室内機側数判定部２２ａによって判定された場合（Ｓ３３でＹｅｓ）、制御部２５ａは、室内機側通信部５３ａが増加情報を受信したひとつ前のタイミングに、室内機側通信部５３ａが増加情報を受信したか否かを判定する（Ｓ３４）。
【００９８】
制御部２５ａは、室内機側通信部５３ａが増加情報を受信したひとつ前のタイミングに、室内機側通信部５３ａが個数情報を受信せずに不増加情報を受信したと判定した場合（Ｓ３４でＮｏ）、第２のタイミング以後に、暖房運転時においては設定温度を３℃上げる制御を行い（Ｓ３５）、冷房運転時においては設定温度を３℃下げる制御を行い（Ｓ３５）、暖房運転時及び冷房運転時のいずれにおいてもファン２３ａの回転数を上げる制御を行う（Ｓ３６）。ステップＳ３５の動作の内容は実施の形態１のステップＳ４の動作の内容と同一であり、ステップＳ３６の動作の内容は実施の形態１のステップＳ５の動作の内容と同一である。
【００９９】
室内機側通信部５３ａが増加情報を受信したひとつ前のタイミングに、室内機側通信部５３ａが増加情報を受信せずに不増加情報を受信したと制御部２５ａによって判定された場合（Ｓ３４でＮｏ）は、大部屋８０において人の数が増加し、室内機２ａに対応する第１領域８１においても人の数が増加したことを意味する。
【０１００】
そのため、大部屋８０において、実施の形態１において説明した最も強い空調制御が要求される。つまり、制御部２５ａは、室内機側通信部５３ａが増加情報を受信したひとつ前のタイミングに、室内機側通信部５３ａが増加情報を受信せずに不増加情報を受信したと制御部２５ａによって判定された場合（Ｓ３４でＮｏ）、実施の形態１において説明した最も強い空調制御を行う。
【０１０１】
室内機側通信部５３ａが増加情報を受信したひとつ前のタイミングに、室内機側通信部５３ａが増加情報を受信したと制御部２５ａによって判定された場合（Ｓ３４でＹｅｓ）、室内機側数判定部２２ａは、第１数ｎが「０」であるか否かを判定する（Ｓ３７）。第１数ｎが「０」であると室内機側数判定部２２ａによって判定された場合（Ｓ３７でＹｅｓ）、制御部２５ａは、第２のタイミング以後に、暖房運転時においては設定温度を３℃上げる制御を行い（Ｓ３８）、冷房運転時においては設定温度を３℃下げる制御を行い（Ｓ３８）、暖房運転時及び冷房運転時のいずれにおいてもファン２３ａの回転数を上げる制御を行う（Ｓ３９）。
【０１０２】
ステップＳ３７の動作の内容は、実施の形態１のステップＳ３の動作の内容と同一である。そのため、第１数ｎが「０」であると室内機側数判定部２２ａによって判定された場合（Ｓ３７でＹｅｓ）、制御部２５ａは実施の形態１において説明した最も強い空調制御を行う。
【０１０３】
室内機側数判定部２２ａは、第１数ｎが１以上であると判定した場合（Ｓ３７でＮｏ）、第２数ｍから第１数ｎを減じた数である第３数が第１数ｎより大きいか否かを判定する（Ｓ４０）。以下では、第３数を「第３数（ｍ−ｎ）」と記載する。図１５のステップＳ４０では、第３数は（ｍ−ｎ）と記載されている。
【０１０４】
第３数（ｍ−ｎ）が第１数ｎより大きいと室内機側数判定部２２ａによって判定された場合（Ｓ４０でＹｅｓ）、制御部２５ａは、第２のタイミング以後に、暖房運転時においては設定温度を２℃上げる制御を行い（Ｓ４１）、冷房運転時においては設定温度を２℃下げる制御を行い（Ｓ４１）、暖房運転時及び冷房運転時のいずれにおいてもファン２３ａの回転数を上げる制御を行う（Ｓ４２）。ステップＳ４０の動作の内容は、実施の形態１のステップＳ６の動作の内容と同一である。そのため、第３数（ｍ−ｎ）が第１数ｎより大きいと室内機側数判定部２２ａによって判定された場合（Ｓ４０でＹｅｓ）、制御部２５ａは実施の形態１において説明した中間の空調制御を行う。
【０１０５】
第３数（ｍ−ｎ）が第１数ｎ以下であると室内機側数判定部２２ａによって判定された場合（Ｓ４０でＮｏ）、制御部２５ａは、第２のタイミング以後に、暖房運転時においては設定温度を１℃上げる制御を行い（Ｓ４３）、冷房運転時においては設定温度を１℃下げる制御を行い（Ｓ４３）、暖房運転時及び冷房運転時のいずれにおいてもファン２３の回転数を上げる制御を行う（Ｓ４４）。ステップＳ４０の動作の内容は、実施の形態１のステップＳ６の動作の内容と同一である。そのため、第３数（ｍ−ｎ）が第１数ｎ以下であると室内機側数判定部２２ａによって判定された場合（Ｓ４０でＮｏ）、制御部２５ａは実施の形態１において説明した最も弱い空調制御を行う。
【０１０６】
すなわち、第２合計が第１合計より大きいと制御装置４ａの制御装置側数判定部４４によって判定された場合、室内機２ａの制御部２５ａは、第２数ｍが第１数ｎより大きいと室内機側数判定部２２ａによって判定されたとき、第２のタイミング以後に、暖房運転時においては設定温度を上げると共にファン２３ａの回転数を上げる制御を行い、冷房運転時においては設定温度を下げると共にファン２３ａの回転数を上げる制御を行う。
【０１０７】
更に言うと、以下の場合Ａ及び場合Ｂでは、制御部２５ａは、暖房運転時においては、設定温度の上げ幅を第１数ｎが１以上であるときの上げ幅より大きくすると共に、ファン２３ａの回転数の上げ幅を第１数ｎが１以上であるときの上げ幅より大きくする制御を行い、冷房運転時においては、設定温度の下げ幅を第１数ｎが１以上であるときの下げ幅より大きくすると共に、ファン２３ａの回転数の上げ幅を第１数ｎが１以上であるときの上げ幅より大きくする制御を行う。
【０１０８】
場合Ａは、第２数ｍが第１数ｎより大きいと室内機側数判定部２２ａによって判定された場合であって、制御装置側数判定部４４による第２合計が第１合計より大きいとの判定の直前の判定において第２合計が第１合計以下であると制御装置側数判定部４４によって判定された場合である。場合Ｂは、第２数ｍが第１数ｎより大きいと室内機側数判定部２２ａによって判定された場合であって、制御装置側数判定部４４による第２合計が第１合計より大きいとの判定の直前の判定において第２合計が第１合計より大きいと制御装置側数判定部４４によって判定されていて、かつ、第１数ｎが「０」であると室内機側数判定部２２ａによって判定された場合である。
【０１０９】
更に、以下の場合Ｃでは、制御部２５ａは、暖房運転時においては、設定温度の上げ幅を、第１数ｎが「０」であるときの上げ幅より小さく第３数（ｍ−ｎ）が第１数ｎ以下であるときの上げ幅より大きく設定すると共に、ファン２３ａの回転数の上げ幅を、第１数ｎが「０」であるときの上げ幅より小さく第３数（ｍ−ｎ）が第１数ｎ以下であるときの上げ幅より大きく設定する制御を行う。加えて、場合Ｃでは、制御部２５ａは、冷房運転時においては、設定温度の上げ幅を、第１数ｎが「０」であるときの下げ幅より小さく第３数（ｍ−ｎ）が第１数ｎ以下であるときの下げ幅より大きく設定すると共に、ファン２３ａの回転数の上げ幅を、第１数ｎが「０」であるときの上げ幅より小さく第３数（ｍ−ｎ）が第１数ｎ以下であるときの上げ幅より大きく設定する制御を行う。
【０１１０】
場合Ｃは、第２数ｍが第１数ｎより大きいと室内機側数判定部２２ａによって判定された場合であって、制御装置側数判定部４４による第２合計が第１合計より大きいとの判定の直前の判定において第２合計が第１合計より大きいと制御装置側数判定部４４によって判定されていて、第１数ｎが１以上であると室内機側数判定部２２ａによって判定され、かつ、第２数ｍから第１数ｎを減じた数である第３数（ｍ−ｎ）が第１数ｎより大きいと室内機側数判定部２２ａによって判定された場合である。
【０１１１】
ステップＳ３６、Ｓ３９、Ｓ４２及びＳ４４の各動作が行われると、室内機２ａの動作はステップＳ４５に移行する。ステップＳ４５の動作は図５のステップＳ１１の動作と同一である。
【０１１２】
すなわち、室内機側数判定部２２ａは、第２のタイミングに検出部２１ａによって検出された数である第５数が「０」であるか否かを判定する。室内機側数判定部２２ａは、第２のタイミングに検出部２１ａによって検出された数である第５数が１以上であると共に、第１のタイミングに検出部２１ａによって検出された数である第４数が「０」であるか否かを更に判定する。室内機側数判定部２２ａは、第２のタイミングに検出部２１ａによって検出された数である第５数が１以上であると共に、第１のタイミングに検出部２１ａによって検出された数である第４数が１以上であるか否かを更に判定する。
【０１１３】
制御部２５ａは、第５数が「０」であると室内機側数判定部２２ａによって判定された場合、フラップ２６ｅを閉じる制御を行う。制御部２５ａは、第５数が１以上であると共に第４数が「０」であると室内機側数判定部２２ａによって判定された場合、フラップ２６ｅをスイングさせる制御を行う。制御部２５ａは、第５数が１以上であると共に第４数が１以上であると室内機側数判定部２２ａによって判定された場合、フラップ２６ｅの動作を維持する制御を行う。
【０１１４】
上述の通り、空調システム１Ａでは、各室内機は、第２合計Ｍｍａｘが第１合計Ｎｍａｘより大きいことを示す増加情報を受信した場合、当該増加情報を受信するひとつ前に受信した情報が増加情報ではないとき、大部屋８０の全体における空調制御の程度は弱いので、３段階の空調制御のなかで最も強い空調制御を行う。すなわち、各室内機は、大部屋８０に存在する人が増えたことを示す増加情報を受信した場合、当該増加情報を受信するひとつ前に受信した情報が大部屋８０に存在する人が増えたことを示す増加情報ではないとき、大部屋８０における空調制御の程度は弱いので、最も強い空調制御を行う。つまり、空調システム１Ａは、大部屋８０の全体を考慮して空調制御を適切に行うことができる。
【０１１５】
複数の室内機を有する空調システム１Ａによって得られる効果のうちの、当該複数の室内機が配置される大部屋８０の全体を考慮した上述の効果以外の効果は、実施の形態１に空調システム１によって得られる効果と同じである。
【０１１６】
なお、実施の形態２の空調システム１Ａでは、室内機２ａ、室内機２ｂ、室内機２ｃ及び室内機２ｄの各々は、配線によって制御装置４ａと接続されている。しかしながら、室内機２ａ、室内機２ｂ、室内機２ｃ及び室内機２ｄのうちの少なくともひとつの室内機が制御装置４ａと接続されていればよい。当該ひとつの室内機が制御装置４ａと接続されている場合、他の室内機は当該ひとつの室内機と通信可能に設定される。
【０１１７】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【０１１８】
１，１Ａ  空調システム、２，２ａ，２ｂ，２ｃ，２ｄ  室内機、３  室外機、４，４ａ  制御装置、２０  室内機側通信部、２１，２１ａ，２１ｂ，２１ｃ，２１ｄ  検出部、２２  数判定部、２３，２３ａ  ファン、２４，２４ａ  ファン用モータ、２５，２５ａ  制御部、２６，２６ｅ  フラップ、２６ａ  第１フラップ、２６ｂ  第２フラップ、２６ｃ  第３フラップ、２６ｄ  第４フラップ、２７，２７ａ  フラップ用モータ、２８，２８ａ  計測部、２９，２９ａ  時間判定部、３０  平面パネル、３１  吸込み口、３２ａ  第１吹出し口、３２ｂ  第２吹出し口、３２ｃ  第３吹出し口、３２ｄ  第４吹出し口、３３  箱体、４０  受付部、４１  室内機判定部、４２  制御装置側通信部、４３  算出部、４４  制御装置側数判定部、５１，５１ａ  赤外線センサ、５２，５２ａ  検出部用モータ、５３ａ  室内機側通信部、６０  処理回路、６１  メモリ、６２  プロセッサ、７０  部屋、７１  第１区域、７２  第２区域、７３  第３区域、７４  第４区域、８０  大部屋、８１  第１領域、８２  第２領域、８３  第３領域、８４  第４領域。
【図１】
2018025321.tif 000003
【図２】
2018025321.tif 000004
【図３】
2018025321.tif 000005
【図４】
2018025321.tif 000006
【図５】
2018025321.tif 000007
【図６】
2018025321.tif 000008
【図７】
2018025321.tif 000009
【図８】
2018025321.tif 000010
【図９】
2018025321.tif 000011
【図１０】
2018025321.tif 000012
【図１１】
2018025321.tif 000013
【図１２】
2018025321.tif 000014
【図１３】
2018025321.tif 000015
【図１４】
2018025321.tif 000016
【図１５】
2018025321.tif 000017
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
部屋に存在する人の数を検出する検出部によって第１のタイミングに検出された数である第１数と前記第１のタイミングより後の第２のタイミングに前記検出部によって検出された数である第２数とを比較して前記第２数が前記第１数より大きいか否かを判定する数判定部と、
前記第２数が前記第１数より大きいと前記数判定部によって判定された場合、前記第２のタイミング以後に、暖房運転時においては設定温度を上げると共にファンの回転数を上げる制御を行い、冷房運転時においては前記設定温度を下げると共に前記ファンの回転数を上げる制御を行う制御部とを備え、
前記数判定部は、前記第１数が１以上であるか否かを更に判定し、
前記第２数が前記第１数より大きくかつ前記第１数が１以上であると前記数判定部によって判定された場合、前記制御部は、前記第２のタイミング以後に、前記暖房運転時においては、前記設定温度の上げ幅を前記第１数が０であるときの上げ幅より小さくすると共に、前記ファンの回転数の上げ幅を前記第１数が０であるときの上げ幅より小さくする制御を行い、前記冷房運転時においては、前記設定温度の下げ幅を前記第１数が０であるときの下げ幅より小さくすると共に、前記ファンの回転数の上げ幅を前記第１数が０であるときの上げ幅より小さくする制御を行う
ことを特徴とする室内機。
【請求項２】
前記数判定部は、前記第２数から前記第１数を減じた数である第３数が前記第１数より大きいか否かを更に判定し、
前記第２数が前記第１数より大きくかつ前記第１数が１以上であって更に前記第３数が前記第１数より大きいと前記数判定部によって判定された場合、前記制御部は、前記第２のタイミング以後に、前記暖房運転時においては、前記設定温度の上げ幅を前記第３数が前記第１数以下であるときの上げ幅より大きくすると共に、前記ファンの回転数の上げ幅を前記第３数が前記第１数以下であるときの上げ幅より大きくする制御を行い、前記冷房運転時においては、前記設定温度の下げ幅を前記第３数が前記第１数以下であるときの下げ幅より大きくすると共に、前記ファンの回転数の上げ幅を前記第３数が前記第１数以下であるときの上げ幅より大きくする制御を行う
ことを特徴とする請求項１に記載の室内機。
【請求項３】
前記部屋に風を送るためのフラップを更に備え、
前記数判定部は、（１）前記第１のタイミングに前記検出部によって検出された数である第４数が０であると共に前記第２のタイミングに前記検出部によって検出された数である第５数が１以上であるか否かを判定し、（２）前記第５数が０であるか否かを判定し、（３）前記第４数が１以上であると共に前記第５数が１以上であるか否かを判定し、
前記制御部は、（Ａ）前記第４数が０であると共に前記第５数が１以上であると前記数判定部によって判定された場合、前記フラップをスイングさせる制御を行い、（Ｂ）前記第５数が０であると前記数判定部によって判定された場合、前記フラップを閉じる制御を行い、（Ｃ）前記第４数が１以上であると共に前記第５数が１以上であると前記数判定部によって判定された場合、前記フラップの動作を維持する制御を行う
ことを特徴とする請求項１又は２に記載の室内機。
【請求項４】
前記検出部によって検出された数が前記第２数以下である状態が前記第２のタイミングから継続する時間を計測する計測部と、
前記計測部によって計測された時間があらかじめ決められた時間を超えたか否かを判定する時間判定部とを更に備え、
前記計測部によって計測された時間が前記あらかじめ決められた時間を超えたと前記時間判定部によって判定された場合、前記制御部は、前記設定温度、前記ファンの回転数及び前記フラップの各々の動作を元に戻す制御を行う
ことを特徴とする請求項３に記載の室内機。
【請求項５】
請求項１から４のいずれか１項に記載の室内機と、
前記室内機を制御する制御装置とを備え、
前記制御装置は、前記室内機の前記制御部が行う制御を実行させる指示を受け付ける受付部を有し、
前記制御部は、前記受付部が前記指示を受け付けた場合、前記制御を行う
ことを特徴とする空調システム。
【請求項６】
複数の室内機と、
前記複数の室内機を制御する制御装置とを備え、
前記複数の室内機の各々は、
前記複数の室内機が配置される部屋の内部の複数の領域のうちの対応する領域に存在する人の数を検出する検出部によって第１のタイミングに検出された数である第１数と前記第１のタイミングより後の第２のタイミングに前記検出部によって検出された数である第２数とを比較して前記第２数が前記第１数より大きいか否かを判定する室内機側数判定部と、
制御部とを有し、
前記制御装置は、
前記第１のタイミングに前記複数の室内機のすべての前記検出部によって検出された数である第１合計と前記第２のタイミングに前記複数の室内機のすべての前記検出部によって検出された数である第２合計とを比較し、前記第２合計が前記第１合計より大きいか否かを判定する制御装置側数判定部を有し、
前記複数の室内機の各々において、
前記第２合計が前記第１合計より大きいと前記制御装置側数判定部によって判定された場合、前記制御部は、前記第２数が前記第１数より大きいと前記室内機側数判定部によって判定されたとき、前記第２のタイミング以後に、暖房運転時においては設定温度を上げると共にファンの回転数を上げる制御を行い、冷房運転時においては前記設定温度を下げると共に前記ファンの回転数を上げる制御を行う
ことを特徴とする空調システム。
【請求項７】
前記複数の室内機の各々において、
（１）前記第２数が前記第１数より大きいと前記室内機側数判定部によって判定された場合であって、前記制御装置側数判定部による前記第２合計が前記第１合計より大きいとの判定の直前の判定において前記第２合計が前記第１合計以下であると前記制御装置側数判定部によって判定された場合と、
（２）前記第２数が前記第１数より大きいと前記室内機側数判定部によって判定された場合であって、前記制御装置側数判定部による前記第２合計が前記第１合計より大きいとの判定の直前の判定において前記第２合計が前記第１合計より大きいと前記制御装置側数判定部によって判定されていて、かつ、前記第１数が０であると前記室内機側数判定部によって判定された場合、
前記制御部は、前記暖房運転時においては、前記設定温度の上げ幅を前記第１数が１以上であるときの上げ幅より大きくすると共に、前記ファンの回転数の上げ幅を前記第１数が１以上であるときの上げ幅より大きくする制御を行い、前記冷房運転時においては、前記設定温度の下げ幅を前記第１数が１以上であるときの下げ幅より大きくすると共に、前記ファンの回転数の上げ幅を前記第１数が１以上であるときの上げ幅より大きくする制御を行う
ことを特徴とする請求項６に記載の空調システム。
【請求項８】
前記複数の室内機の各々において、
前記第２数が前記第１数より大きいと前記室内機側数判定部によって判定された場合であって、前記制御装置側数判定部による前記第２合計が前記第１合計より大きいとの判定の直前の判定において前記第２合計が前記第１合計より大きいと前記制御装置側数判定部によって判定されていて、前記第１数が１以上であると前記室内機側数判定部によって判定され、かつ、前記第２数から前記第１数を減じた数である第３数が前記第１数より大きいと前記室内機側数判定部によって判定された場合、
前記制御部は、
前記暖房運転時においては、前記設定温度の上げ幅を前記第１数が０であるときの上げ幅より小さくかつ前記第３数が前記第１数以下であるときの上げ幅より大きくすると共に、前記ファンの回転数の上げ幅を前記第１数が０であるときの上げ幅より小さくかつ前記第３数が前記第１数以下であるときの上げ幅より大きくする制御を行い、
前記冷房運転時においては、前記設定温度の下げ幅を前記第１数が０であるときの下げ幅より小さくかつ前記第３数が前記第１数以下であるときの下げ幅より大きくすると共に、前記ファンの回転数の上げ幅を前記第１数が０であるときの上げ幅より小さくかつ前記第３数が前記第１数以下であるときの上げ幅より大きくする制御を行う
ことを特徴とする請求項６又は７に記載の空調システム。
【請求項９】
前記複数の室内機の各々は、フラップを更に有し、
前記複数の室内機の各々において、
前記室内機側数判定部は、（１）前記第１のタイミングに前記検出部によって検出された数である第４数が０であると共に前記第２のタイミングに前記検出部によって検出された数である第５数が１以上であるか否かを判定し、（２）前記第５数が０であるか否かを判定し、（３）前記第４数が１以上であると共に前記第５数が１以上であるか否かを判定し、
前記制御部は、（Ａ）前記第４数が０であると共に前記第５数が１以上であると前記室内機側数判定部によって判定された場合、前記フラップをスイングさせる制御を行い、（Ｂ）前記第５数が０であると前記室内機側数判定部によって判定された場合、前記フラップを閉じる制御を行い、（Ｃ）前記第４数が１以上であると共に前記第５数が１以上であると前記室内機側数判定部によって判定された場合、前記フラップの動作を維持する制御を行う
ことを特徴とする請求項６から８のいずれか１項に記載の空調システム。
【請求項１０】
前記複数の室内機の各々は、
前記検出部によって検出された数が前記第２数以下である状態が前記第２のタイミングから継続する時間を計測する計測部と、
前記計測部によって計測された時間があらかじめ決められた時間を超えたか否かを判定する時間判定部とを更に有し、
前記複数の室内機の各々において、
前記計測部によって計測された時間が前記あらかじめ決められた時間を超えたと前記時間判定部によって判定された場合、前記制御部は、前記設定温度、前記ファンの回転数及び前記複数のフラップの各々の動作を元に戻す制御を行う
ことを特徴とする請求項９に記載の空調システム。
【請求項１１】
前記制御装置は、前記複数の室内機の各々の前記制御部が行う制御を実行させる指示を受け付ける受付部を有し、
前記制御部は、前記受付部が前記指示を受け付けた場合、前記制御を行う
ことを特徴とする請求項６から１０のいずれか１項に記載の空調システム。
【国際調査報告】
2018025321.tif 000018
2018025321.tif 000019
2018025321.tif 000020
2018025321.tif 000021